(57)【要約】【課題】何通りもあるキャナモーターの回転数やその他の外乱を除去でき、光走査装置の振動を十分に抑制することができる画像形成装置を提供する。【解決手段】画像データで変調した光で帯電させた感光体を走査して静電潜像を形成する光走査装置１０を、光体を含む電子写真プロセス部材を収容した本体フレーム１００に取り付けた画像形成装置において、光走査装置１０のハウジング１８よりも高い剛性を有する板状部材７０と、弾性部材８０とを具備し、光走査装置１０を板状部材７０に締結すると共に、光走査装置１０が締結された板状部材７０を、弾性部材８０を介して本体フレームに取り付ける。光走査装置１０が締結された板状部材７０は、光走査装置１０から光が射出される方向に配置された２点と、その他の１点で弾性部材８０を介して本体フレーム１００に取り付けられている【選択図】図５
2013044858.tif 000002
【特許請求の範囲】
【請求項１】
画像データで変調した光で帯電させた感光体を走査して静電潜像を形成する光走査装置を、前記感光体を含む電子写真プロセス部材を収容した本体フレームに取り付けた画像形成装置であって、
前記光走査装置のハウジングよりも高い剛性を有する板状部材と、
弾性部材とを具備し、
前記光走査装置は、前記板状部材に締結されていると共に、前記光走査装置が締結された前記板状部材が前記弾性部材を介して前記本体フレームに取り付けられていることを特徴とする画像形成装置。
【請求項２】
前記光走査装置が締結された前記板状部材は、３点で前記弾性部材を介して前記本体フレームに取り付けられていることを特徴とする請求項１記載の画像形成装置。
【請求項３】
前記光走査装置が締結された前記板状部材は、前記光走査装置から光が射出される方向に配置された２点と、その他の１点で前記弾性部材を介して前記本体フレームに取り付けられていることを特徴とする請求項２記載の画像形成装置。
【発明の詳細な説明】
【技術分野】
【０００１】
本発明は、電子写真方式を利用した複写機、プリンター、ファクシミリ、それらの複合機等の画像形成装置に係り、特に、光走査装置で感光体を走査露光する画像形成装置に関する。
【背景技術】
【０００２】
電子写真方式を利用した複写機、プリンター、ファクシミリ、それらの複合機等の画像形成装置では、画像形成にあたってまず感光体を帯電させ、光走査装置によって画像データで変調した光で感光体を走査して静電潜像を形成した後、現像によってトナー像を形成して記録媒体に転写させ、定着装置で定着して画像形成を行なっている。
【０００３】
一般に，光走査装置は合成樹脂製のハウジングにポリゴンミラー等の光学部品が保持され，そのハウジングが数点で画像形成装置に締結され固定されていた。しかし、画像形成の高速化に伴ってポリゴンミラーを回転させるスキャナモーターの回転数が高速化したため、剛性が低く、且つ重量も軽い合成樹脂製のハウジングでは、スキャナモーターの振動や、画像形成装置からの振動を押さえ込むことができなくなってきた。金属ダイキャストのハウジングに光学部品を保持すると、振動や、熱による変形については有利であるが、光走査装置が非常に高価になってしまう。
【０００４】
そこで、光学部品を保持するハウジングに結合される高剛性化部材を設け、ハウジングと高剛性化部材とが結合された状態の剛性を、ハウジング単体の剛性及び画像形成装置における光走査装置の取付部位の剛性よりも高くすることで、振動を抑制する光走査装置が提案されている（例えば、特許文献１参照）。
【先行技術文献】
【特許文献】
【０００５】
【特許文献１】特開２００６−２５９４３５号
【発明の概要】
【発明が解決しようとする課題】
【０００６】
しかしながら、近年は、スキャナモーターの回転数の高速化と共に、スキャナモーターの回転数を切り替えて複数の印字解像度を選択自在に構成する機種が一般的になってきていると共に、コストダウンのために多機種への展開も考慮する必要がある。従って、考慮しなければならない回転数が何通りもあり、特定の周波数における共振回避では成り立たたないため、従来技術では、光走査装置の振動を十分に抑制することが困難であるという問題点があった。
【０００７】
本発明の目的は、上記問題点に鑑み、従来技術の問題を解決し、何通りもあるスキャナモーターの回転数やその他の外乱を除去でき、光走査装置の振動を十分に抑制することができる画像形成装置を提供することにある。
【課題を解決するための手段】
【０００８】
本発明の画像形成装置は、画像データで変調した光で帯電させた感光体を走査して静電潜像を形成する光走査装置を、前記感光体を含む電子写真プロセス部材を収容した本体フレームに取り付けた画像形成装置であって、前記光走査装置のハウジングよりも高い剛性を有する板状部材と、弾性部材とを具備し、前記光走査装置は、前記板状部材に締結されていると共に、前記光走査装置が締結された前記板状部材が前記弾性部材を介して前記本体フレームに取り付けられていることを特徴とする。
さらに、本発明の画像形成装置において、前記光走査装置が締結された前記板状部材は、３点で前記弾性部材を介して前記本体フレームに取り付けられていることを特徴とする。
さらに、本発明の画像形成装置において、前記光走査装置が締結された前記板状部材は、前記光走査装置から光が射出される方向に配置された２点と、その他の１点で前記弾性部材を介して前記本体フレームに取り付けられていることを特徴とする。
【発明の効果】
【０００９】
本発明によれば、光走査装置が締結された板状部材を、弾性部材を介して本体フレームに取り付けるように構成することにより、何通りもあるキャナモーターの回転数やその他の外乱を除去でき、光走査装置の振動を十分に抑制することができるという効果を奏する。
【図面の簡単な説明】
【００１０】
【図１】本発明に係る画像形成装置の実施の形態の内部構成を示す概略模式断面図である。
【図２】図１に示す光走査装置の構成を説明するための斜視図である。
【図３】図２に示す光走査装置の取り付けに用いられる板状部材の構成を示す三面図である。
【図４】図３に示す板状部材に光走査装置が締結された状態を示す三面図である。
【図５】図３に示す板状部材に締結された光走査装置が本体フレームに取り付けられた状態を示す三面図である。
【発明を実施するための形態】
【００１１】
次に、本発明の実施の形態を、図面を参照して具体的に説明する。
本実施の形態の画像形成装置１は、電子写真方式を利用した複写機であり、図１を参照すると、原稿読取部２と、原稿給送部３と、本体部４とを備えている。原稿給送部３は、原稿読取部２の上部に配設されていると共に、原稿読取部２は、本体部４の上部に配設され、原稿読取部２と本体部４との間には、排紙空間６が形成されている。
【００１２】
原稿読取部２は、スキャナ２１と、プラテンガラス２２と、原稿読取スリット２３とを備える。スキャナ２１は、露光ランプ及びＣＣＤ(Charge Coupled Device)センサ等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交方向に形成されたスリットを有する。
【００１３】
プラテンガラス２２に載置された原稿を読み取る場合には、スキャナ２１は、プラテンガラス２２に対向する位置に移動され、プラテンガラス２２に載置された原稿を走査しながら原稿を読み取って画像データを取得し、取得した画像データを本体部４に出力する。また、原稿給送部３により搬送された原稿を読み取る場合には、スキャナ２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１４】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させることができる。
【００１５】
本体部４には、電子写真プロセス部材として、感光体ドラム４１、帯電器４２、光走査装置１０、現像装置４３、転写ローラー４４、クリーニング装置４５が配設されている。転写ローラー４４は、感光体ドラム４１の表面に接触するよう配置され、記録紙Ｐの搬送路４６が、感光体ドラム４１と転写ローラー４４とのニップ部を通って上下方向に延在するよう配設されている。
【００１６】
本体部４の下部には、記録紙Ｐを収納する給紙カセット４７と、給紙カセット４７から記録紙Ｐを１枚ずつ繰り出すピックアップローラー４８とが配設されている。搬送路４６は、ピックアップローラー４８の下流側に接続され、ピックアップローラー４８によって記録紙Ｐを１枚ずつ搬送路４６に繰り出される。搬送路４６の、ピックアップローラー４８よりも下流側には、レジストローラー対４９、転写ローラー４４、定着装置５０、搬送ローラー対５１、排出ローラー対５２の順に配設されている。
【００１７】
画像形成装置１による画像形成は、まず、帯電器４２により感光体ドラム４１の表面を一様に帯電させ、原稿読取部２で読み取った画像データに基づいて、光走査装置１０によって感光体ドラム４１の表面を走査することで静電潜像を形成させる。次に、感光体ドラム４１の表面に形成された静電潜像を現像装置４３によって現像することでトナー像を形成させる。感光体ドラム４１の表面に形成されたトナー像は、給紙カセット４７から繰り出された記録紙Ｐが、感光体ドラム４１と転写ローラー４４とのニップ部を通過する間に記録紙Ｐに転写される。該用紙Ｐに転写されたトナー像は、定着装置５０を通過する間に記録紙Ｐに熱定着される。トナー像が定着された記録紙Ｐは、搬送ローラー対５１及び排出ローラー対５２によって、排紙空間６の排出トレイ６１に排出される。
【００１８】
光走査装置１０は、図２を参照すると、レーザダイオード１１と、レンズ部１２、１３と、ポリゴンミラー１４と、ｆθレンズ１５、１６と、防塵ガラス１７とを備え、これらの光学部品を収納する合成樹脂製のハウジング１８を備えている。なお、図２に示す光走査装置１０は、遮光用の上部カバーが取り外した状態が示されている。
【００１９】
レーザダイオード１１は、画像データをレーザ光に変調して発射する。レンズ部１２、１３は、例えばコリメータレンズやプリズム等により構成されており、入射したレーザ光を平行光に変換する機能を有している。ポリゴンミラー１４は、平面視正六角形の平板状に形成されており、図示しないスキャナモーターにより所定方向に一定速度で回転しながらレンズ部１３からのレーザ光をｆθレンズ１５に向けて偏向する。ｆθレンズ１５、１６は、互いのアーチ部分が対向するようにハウジング１８内の適所に配設されており、ポリゴンミラー１４で偏向されたレーザ光を感光体ドラム４１の表面上で等速走査させる機能を有している。防塵ガラス１７は、ハウジング１８内への粉塵等の異物の侵入を防止する異物侵入防止機能を有している。なお、図２に矢印で示すように、防塵ガラス１７からレーザ光が射出される方向を前後方向と称し、レーザ光が射出される方向と直交する方向を左右方向と称す。
【００２０】
光走査装置１０の画像形成装置１への取り付けは、図３乃至図５を参照すると、ハウジング１８よりも剛性の高い板状部材７０を用いて行われる。板状部材７０としては、例えば、鉄やアルミニウム等の板金材料を用いることができる。本実施の形態では、板金材料を用い、図２に示すように、プレス加工によって３個の絞り部７１ａ〜ｃを形成することで板状部材７０の剛性を高めている。絞り部７１ａ〜ｃの形状は、絞り出した面が長方形の四角錐台であり、長手方向が平行になるように形成されている。絞り部７１ａ、７１ｃと、絞り部７１ａ、７１ｃの間に配置された絞り部７１ｂとは互いに異なる面に絞り出されている。絞り部７１ａ、７１ｃには、ハウジング取付用ネジ孔７２が２箇所ずつ形成され、絞り部７１ａ〜ｃが形成されていない板状部材７０の平面部には、本体取付用開口７３が３箇所形成されている。
【００２１】
光走査装置１０のハウジング１８には、図２及び図４を参照すると、側面に形成された４個の取付片１９が形成されている。図４に示すように、ハウジング１８を、光走査装置１０の前後方向が絞り部７１ａ、７１ｃの長手方向に直交するように、板状部材７０の絞り部７１ａ、７１ｃに架け渡し、ハウジング１８の側面に形成された４個の取付片１９とハウジング取付用ネジ孔７２とを４箇所でネジ留めする。このように、４点固定で光走査装置１０を板状部材７０に締結することで、ハウジング１８の変形を防止でき、ジッタを抑制することができる。また、光走査装置１０を板状部材７０に締結する際の平面度の基準となる絞り部７１ａ、７１ｃは、プレス加工によって形成されるため、厳しい平面度の要求を満足させることが容易になる。さらに、ハウジング１８よりも剛性の高い板状部材７０に光走査装置１０を締結することで、本体部４との共振を回避することができる。
【００２２】
光走査装置１０が締結された板状部材７０は、弾性部材８０を介して本体部４の本体フレーム１００に取り付けられ、外乱による振動を除去することが可能となっている。弾性部材８０としては、例えば、天然ゴムや合成ゴムを用いることができ、経時変化が少ないものが好ましい。図５（ａ）は、本体フレーム１００側から光走査装置１０が締結された板状部材７０を見た図であり、板状部材７０の形成されている３箇所の本体取付用開口７３にそれぞれ対向して３個の弾性部材８０が配置され、本体取付用開口７３を介して３点でネジ留めすることで、光走査装置１０が締結された板状部材７０が弾性を有して本体フレーム１００に取り付けられる。図４（ａ）を参照すると、締結される光走査装置１０の１側面側（右側）に、２個の本体取付用開口７３が前後方向に形成されていると共に、締結される光走査装置１０の他側面側（左側）に、１個の本体取付用開口７３が形成されている。これにより、１点側（左側）のトルク調整によってスキュー（Skew）調整が可能となる。
【００２３】
以上説明したように、本実施の形態によれば、光走査装置１０のハウジング１８よりも高い剛性を有する板状部材７０と、弾性部材８０とを具備し、光走査装置１０を板状部材７０に締結すると共に、光走査装置１０が締結された板状部材７０を、弾性部材８０を介して本体フレーム１００に取り付けるように構成することにより、何通りもあるスキャナモーターの回転数やその他の外乱を除去でき、光走査装置の振動を十分に抑制することができるという効果を奏する。
【００２４】
なお、本実施の形態では、本発明に係る画像形成装置の例として、複写機を示したが、本発明に係る画像形成装置はこれに限定されるものではなく、光走査装置１０を備えた機器、例えば、ファクシミリ装置、プリンター、複合機（コピー、ファクシミリ装置、プリンター等の機能を兼ね備えた画像形成装置）等であっても良い。
【００２５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００２６】
１  画像形成装置
２  原稿読取部
３  原稿給送部
４  本体部
６  排紙空間
１０  光走査装置
１１  レーザダイオード
１２、１３  レンズ部
１４  ポリゴンミラー
１５、１６  ｆθレンズ
１７  防塵ガラス
１８  ハウジング
１９  取付片
２１  スキャナ
２２  プラテンガラス
２３  原稿読取スリット
３１  原稿載置部
３２  原稿排出部
３３  原稿搬送機構
４１  感光体ドラム
４２  帯電器
４３  現像装置
４４  転写ローラー
４５  クリーニング装置
４６  搬送路
４７  給紙カセット
４８  ピックアップローラー
４９  レジストローラー対
５０  定着装置
５１  搬送ローラー対
５２  排出ローラー対
６１  排出トレイ
７０  板状部材
７１ａ、７１ｂ、７１ｃ  絞り部
７２  ハウジング取付用ネジ孔
７３  本体取付用開口
８０  弾性部材
１００  本体フレーム
【図１】
2013044858.tif 000003
【図２】
2013044858.tif 000004
【図３】
2013044858.tif 000005
【図４】
2013044858.tif 000006
【図５】
2013044858.tif 000007